(57)【特許請求の範囲】
【請求項１】
データを表示可能な内蔵表示部と、
前記内蔵表示部の表示を制御するとともに、データを取得可能な制御部と、
外部表示装置とネットワークを介さずに直接的に接続可能な外部表示装置接続部とを備え、
前記内蔵表示部に前記制御部が取得したデータを表示させるとともに、前記外部表示装置に、前記内蔵表示部に表示されるデータと同じデータを表示させる第１モードと、前記外部表示装置に前記制御部が取得したデータを表示させるとともに、前記内蔵表示部に、前記制御部が取得したデータのうち前記外部表示装置に表示させるデータとは異なるデータを表示させる第２モードとを切り替え可能に構成されており、
前記制御部は、少なくとも、前記外部表示装置接続部に前記外部表示装置が接続され、かつ、メディアプレーヤのアプリケーションが起動されているとともに、前記外部表示装置を出力先としての再生動作が行われていることに基づいて、前記第１モードと前記第２モードとのうち前記第２モードを選択するように構成されている、携帯情報処理装置。
【請求項２】
前記制御部は、前記第２モードのときに、前記外部表示装置に前記所定のアプリケーションのデータを表示させるとともに、前記内蔵表示部に前記所定のアプリケーションに関する指示または入力を受け付けるための画像を表示させるように構成されている、請求項１に記載の携帯情報処理装置。
【請求項３】
前記制御部は、前記外部表示装置接続部に前記外部表示装置が接続され、かつ、メディアプレーヤのアプリケーションが起動されているとともに、前記外部表示装置を出力先とする再生に関する操作が行われていることに基づいて、前記第２モードを選択して、前記外部表示装置にメディアプレーヤのメディアデータを表示させるとともに、前記内蔵表示部にメディアデータのリストを前記メディアデータの選択が可能なように表示させるように構成されている、請求項１または２に記載の携帯情報処理装置。
【請求項４】
前記制御部は、前記外部表示装置接続部に前記外部表示装置が接続されている状態で、かつ、前記メディアプレーヤのアプリケーションが起動されている状態で、前記外部表示装置を出力先とするメディアプレーヤのメディアデータの再生操作が行われたこと、または、前記メディアプレーヤのアプリケーションが起動されている状態で、かつ、メディアデータの再生動作が行われている状態で、前記外部表示装置接続部への前記外部表示装置の接続が行われたことに基づいて、前記第２モードを選択するように構成されている、請求項３に記載の携帯情報処理装置。
【請求項５】
前記制御部は、前記外部表示装置接続部に前記外部表示装置が接続されている状態で、かつ、前記メディアプレーヤのアプリケーションが起動されている状態で、前記外部表示装置を出力先とするメディアデータの再生操作を行う際に再生するメディアデータが前記メディアデータのリストからユーザにより選択されたことに応答して、前記第２モードを選択するように構成されている、請求項４に記載の携帯情報処理装置。
【請求項６】
メディアデータが格納された可搬型記録媒体を接続可能な記録媒体接続部、または、メディアデータを格納可能な内蔵メモリの少なくとも一方をさらに備え、
前記制御部は、前記外部表示装置接続部に前記外部表示装置が接続され、かつ、前記メディアプレーヤのアプリケーションが起動されているとともに、前記外部表示装置を出力先として前記可搬型記録媒体または前記内蔵メモリの少なくとも一方のメディアデータの再生に関する操作が行われていることに基づいて、前記第２モードを選択するように構成されている、請求項３〜５のいずれか１項に記載の携帯情報処理装置。
【請求項７】
ネットワークに接続された対応機器間でメディアデータを共有可能な所定のネットワーク規格によりデジタルメディアサーバとして機能する対応機器と前記所定のネットワーク規格に準拠した通信が可能な通信部をさらに備え、
前記制御部は、前記外部表示装置接続部に前記外部表示装置が接続され、かつ、前記メディアプレーヤのアプリケーションが起動されているとともに、前記外部表示装置を出力先として前記デジタルメディアサーバのメディアデータの再生に関する操作が行われたことに基づいて、前記第２モードを選択するように構成されている、請求項３〜６のいずれか１項に記載の携帯情報処理装置。
【請求項８】
前記第２モードにおいて、前記外部表示装置接続部にネットワークを介さずに直接的に接続された前記外部表示装置を擬似的なデジタルメディアレンダラとして、前記通信部を介してネットワーク経由で前記デジタルメディアサーバから取得したメディアデータを表示させるとともに、前記内蔵表示部を擬似的なデジタルメディアコントローラとして前記メディアデータのリストを前記メディアデータの選択が可能なように表示させるように構成されている、請求項７に記載の携帯情報処理装置。
【請求項９】
前記制御部は、メディアデータの再生動作が終了したことに基づいて、前記第２モードから前記第１モードに切り替えるように構成されている、請求項３〜８のいずれか１項に記載の携帯情報処理装置。
【請求項１０】
前記外部表示装置接続部は、前記ネットワークを介さずに直接的に接続される外部表示装置に対して、２つの機器間を、音声データ、映像データおよび制御信号を伝送可能な所定のケーブルにより接続して機器間の連携動作を行うことが可能な所定のインターフェース規格に対応した接続部を含む、請求項１〜９のいずれか１項に記載の携帯情報処理装置。
【発明の詳細な説明】
【技術分野】
【０００１】
この発明は、携帯情報処理装置に関し、特に、外部表示装置とネットワークを介さずに接続可能な携帯情報処理装置に関する。
【背景技術】
【０００２】
従来、外部表示装置とネットワークを介さずに接続可能な携帯情報処理装置が知られている（たとえば、特許文献１参照）。
【０００３】
上記特許文献１には、ディスプレイ（内蔵表示部）を有するとともに、外部表示装置とネットワークを介さずに接続可能な携帯通信装置（携帯情報処理装置）が開示されている。この携帯通信装置では、ディスプレイに表示させる画像とは異なる画像を外部表示装置に表示させることが可能に構成されており、テレビ会議のコールを受信した場合やテレビ会議が開始された場合に、ディスプレイには自分側のモニタ画像を表示させるとともに、外部表示装置にはディスプレイに表示する画像とは異なる相手側の画像を表示させる制御を行うように構成されている。
【０００４】
上記特許文献１に記載の携帯通信装置（携帯情報処理装置）では、テレビ会議のコールを受信した場合などに、ディスプレイ（内蔵表示部）には自分側のモニタ画像を表示させるとともに、外部表示装置にはディスプレイに表示する画像とは異なる相手側の画像を表示させることが可能である一方、内蔵表示部と外部表示装置とに同じ画像を表示させることができないと考えられる。このため、上記特許文献１の携帯通信装置では、状況に応じて、内蔵表示部と外部表示装置とに異なる画像を表示させるモードと、内蔵表示部と外部表示装置とに同じ画像を表示させるモードとを使い分けることができないという不都合があると考えられる。
【０００５】
そこで、従来、内蔵表示部と外部表示装置とに異なる画像を表示させるモードと、内蔵表示部と外部表示装置とに同じ画像を表示させるモードとを使い分けることが可能な情報処理装置が提案されている（たとえば、特許文献２参照）。
【０００６】
上記特許文献２には、ディスプレイ（内蔵表示部）を有するとともに、外部の映像機器とネットワークを介さずに接続可能な情報処理装置が開示されている。この情報処理装置では、ディスプレイに表示させる画像と同じ画像を外部表示装置に表示させるクローン表示（第１モード）と、ディスプレイに表示させる画像と異なる画像を外部表示装置に表示させるマルチ表示（第２モード）とが可能に構成されており、いずれの表示方法を用いるかはユーザが予め設定するように構成されている。
【先行技術文献】
【特許文献】
【０００７】
【特許文献１】特表２００８−５１７５２５号公報
【特許文献２】特開２００９−４４２５３号公報
【発明の概要】
【発明が解決しようとする課題】
【０００８】
しかしながら、上記特許文献２に記載の情報処理装置（携帯情報処理装置）では、ディスプレイ（内蔵表示部）と外部表示装置とに同じ画像を表示させるクローン表示と、ディスプレイに表示させる画像と異なる画像を外部表示装置に表示させるマルチ表示とが可能である一方、いずれの表示方法を用いるかをユーザが予め設定する必要があるので、状況に応じてクローン表示またはマルチ表示を選択する際にも、ユーザの選択操作（再設定）が必要になり、その分、ユーザの操作負担が大きくなるので、利便性が低下するという問題点がある。
【０００９】
この発明は、上記のような課題を解決するためになされたものであり、この発明の１つの目的は、ユーザの選択操作による操作負担を削減することにより利便性を向上させることが可能な携帯情報処理装置を提供することである。
【課題を解決するための手段および発明の効果】
【００１０】
この発明の一の局面による携帯情報処理装置は、データを表示可能な内蔵表示部と、内蔵表示部の表示を制御するとともに、データを取得可能な制御部と、外部表示装置とネットワークを介さずに直接的に接続可能な外部表示装置接続部とを備え、内蔵表示部にデータを表示させるとともに、外部表示装置に、内蔵表示部に制御部が取得した表示されるデータと同じデータを表示させる第１モードと、外部表示装置に制御部が取得したデータを表示させるとともに、内蔵表示部に、制御部が取得したデータのうち外部表示装置に表示させるデータとは異なるデータを表示させる第２モードとを切り替え可能に構成されており、制御部は、少なくとも、外部表示装置接続部に外部表示装置が接続され、かつ、メディアプレーヤのアプリケーションが起動されているとともに、外部表示装置を出力先としての再生動作が行われていることに基づいて、第１モードと第２モードとのうち第２モードを選択するように構成されている。
【００１１】
この一の局面による携帯情報処理装置では、上記のように、少なくとも、外部表示装置接続部に外部表示装置が接続され、かつ、所定のアプリケーションが起動していることに基づいて、内蔵表示部に制御部が取得したデータを表示させるとともに、外部表示装置に、内蔵表示部に表示されるデータと同じデータを表示させる第１モードと、外部表示装置に制御部が取得したデータを表示させるとともに、内蔵表示部に、制御部が取得したデータのうち外部表示装置に表示させるデータとは異なるデータを表示させる第２モードとのうち第２モードを選択する制御部を設けることによって、状況に応じて、第２モードにするのが好ましい場合には、第２モードが選択されるので、内蔵表示部および外部表示装置の表示態様（第１モードおよび第２モード）を選択的に使い分けることができる。また、制御部により、少なくとも、外部表示装置接続部に外部表示装置が接続され、かつ、所定のアプリケーションが起動していることに基づいて、自動的に、第１モードと第２モードとのうちの第２モードが選択されるので、ユーザがモード選択操作を行うことなく、所定のアプリケーションが起動している場合には、第２モード（拡張表示モード）が選択され、それ以外のアプリケーションの場合は第１モード（ミラー表示モード）が選択される。これにより、ユーザのモード選択操作による操作負担を削減することができるので、利便性を向上させることができる。また、制御部は、少なくとも、外部表示装置接続部に外部表示装置が接続され、かつ、メディアプレーヤが起動されていることに基づいて、第１モードと第２モードとのうち第２モードを選択するように構成されている。このように構成すれば、メディアプレーヤが起動されている場合に第２モードが自動的に選択されるので、メディアプレーヤ使用時の利便性を向上させることができる。
【００１２】
上記一の局面による携帯情報処理装置において、好ましくは、制御部は、第２モードのときに、外部表示装置に所定のアプリケーションのデータを表示させるとともに、内蔵表示部に所定のアプリケーションに関する指示または入力を受け付けるための画像を表示させるように構成されている。このように構成すれば、第２モードのときに、ユーザは、外部表示装置に表示されるアプリケーションのデータを見ながら、手元の携帯情報処理装置の内蔵表示部を介して外部表示装置に表示されるアプリケーションに関する指示または入力を行うことができる。これにより、たとえば、サイズの大きい外部表示装置でアプリケーションのデータを見ながら、手元で外部表示装置に表示されるアプリケーションに関する指示または入力を行うことができるので、アプリケーションのデータを見やすくすることができるとともに、アプリケーションに関する指示または入力をしやすくすることができる。その結果、利便性をより向上させることができる。
【００１３】
【００１４】
上記一の局面による携帯情報処理装置において、好ましくは、制御部は、外部表示装置接続部に外部表示装置が接続され、かつ、メディアプレーヤのアプリケーションが起動されているとともに、外部表示装置を出力先とする再生に関する操作が行われていることに基づいて、第２モードを選択して、外部表示装置にメディアプレーヤのメディアデータを表示させるとともに、内蔵表示部にメディアデータのリストをメディアデータの選択が可能なように表示させるように構成されている。このように構成すれば、メディアプレーヤのアプリケーションの起動によりメディアプレーヤを使用する時に、外部表示装置が接続され、かつ、外部表示装置を出力先とする再生に関する操作が行われたことに基づいて、手元の内蔵表示部にメディアデータのリストを表示させながら、選択したメディアデータを外部表示装置に再生表示させる拡張表示を行うことができるので、メディアプレーヤの使用時におけるユーザの利便性を向上させることができる。
【００１５】
上記内蔵表示部にメディアデータのリストを表示させる構成において、好ましくは、制御部は、外部表示装置接続部に外部表示装置が接続されている状態で、かつ、メディアプレーヤのアプリケーションが起動されている状態で、外部表示装置を出力先とするメディアプレーヤのメディアデータの再生操作が行われたこと、または、メディアプレーヤのアプリケーションが起動されている状態で、かつ、メディアデータの再生動作が行われている状態で、外部表示装置接続部への外部表示装置の接続が行われたことに基づいて、第２モードを選択するように構成されている。このように構成すれば、ユーザにより、メディアプレーヤの使用時に外部表示装置を出力先とするメディアデータを選択するか、または、再生動作中に外部表示装置を接続するだけで、自動的に第２モード（拡張表示モード）が選択されるので、メディアプレーヤの使用時におけるユーザの利便性を向上させることができる。
【００１６】
上記メディアデータの再生動作または外部表示装置の接続が行われたことに基づいて第２モードを選択する構成において、好ましくは、制御部は、外部表示装置接続部に外部表示装置が接続されている状態で、かつ、メディアプレーヤのアプリケーションが起動されている状態で、外部表示装置を出力先とするメディアデータの再生操作を行う際に再生するメディアデータがメディアデータのリストからユーザにより選択されたことに応答して、第２モードを選択するように構成されている。このように構成すれば、ユーザがメディアデータを選択するだけで、制御部により自動的に第２モード（拡張表示モード）が選択されるので、ユーザは第１モードと第２モードとを選択するために別途モード選択操作を行う必要がない。
【００１７】
上記内蔵表示部にメディアデータのリストを表示させる構成において、好ましくは、メディアデータが格納された可搬型記録媒体を接続可能な記録媒体接続部、または、メディアデータを格納可能な内蔵メモリの少なくとも一方をさらに備え、制御部は、外部表示装置接続部に外部表示装置が接続され、かつ、メディアプレーヤのアプリケーションが起動されているとともに、外部表示装置を出力先として可搬型記録媒体または内蔵メモリの少なくとも一方のメディアデータの再生に関する操作が行われていることに基づいて、第２モードを選択するように構成されている。このように構成すれば、可搬型記録媒体または内蔵メモリの少なくとも一方に格納されたメディアデータを外部表示装置に表示させるとともに、メディアデータのリストを内蔵表示部に表示させる第２モードによる拡張表示を行うことができる。
【００１８】
上記内蔵表示部にメディアデータのリストを表示させる構成において、好ましくは、ネットワークに接続された対応機器間でメディアデータを共有可能な所定のネットワーク規格によりデジタルメディアサーバとして機能する対応機器と所定のネットワーク規格に準拠した通信が可能な通信部をさらに備え、制御部は、外部表示装置接続部に外部表示装置が接続され、かつ、メディアプレーヤのアプリケーションが起動されているとともに、外部表示装置を出力先としてデジタルメディアサーバのメディアデータの再生に関する操作が行われたことに基づいて、第２モードを選択するように構成されている。なお、本発明の所定のネットワーク規格としては、たとえば、ＤＬＮＡ（Ｄｉｇｉｔａｌ  Ｌｉｖｉｎｇ  Ｎｅｔｗｏｒｋ  Ａｓｓｏｃｉａｔｉｏｎ）規格がある。このように構成すれば、ＤＬＮＡなどの所定のネットワーク規格対応のネットワーク内のデジタルメディアサーバに格納されたメディアデータを、ネットワークを介さずに直接的に接続された外部表示装置に表示させるとともに、メディアデータのリストを内蔵表示部に表示させる第２モードによる拡張表示を行うことができる。
【００１９】
上記所定のネットワーク規格に準拠した通信が可能な通信部を備える構成において、好ましくは、第２モードにおいて、外部表示装置接続部にネットワークを介さずに直接的に接続された外部表示装置を擬似的なデジタルメディアレンダラとして、通信部を介してネットワーク経由でデジタルメディアサーバから取得したメディアデータを表示させるとともに、内蔵表示部を擬似的なデジタルメディアコントローラとしてメディアデータのリストをメディアデータの選択が可能なように表示させるように構成されている。このように構成すれば、内蔵表示部にネットワークを介さずに直接的に接続された外部表示装置に対して、容易に、ネットワーク内の所定のネットワーク規格対応のデジタルメディアサーバから取得したメディアデータを表示させることができるとともに、メディアデータのリストを内蔵表示部に表示させることができる。
【００２０】
上記内蔵表示部にメディアデータのリストを表示させる構成において、好ましくは、制御部は、メディアデータの再生動作が終了したことに基づいて、第２モードから第１モードに切り替えるように構成されている。このように構成すれば、容易に、再生動作終了後に第１モードによるミラー表示に切り替えることができる。
【００２１】
【００２２】
【００２３】
【００２４】
上記一の局面による携帯情報処理装置において、好ましくは、外部表示装置接続部は、ネットワークを介さずに直接的に接続される外部表示装置に対して、２つの機器間を、音声データ、映像データおよび制御信号を伝送可能な所定のケーブルにより接続して機器間の連携動作を行うことが可能な所定のインターフェース規格に対応した接続部を含む。なお、本発明の所定のインターフェース規格としては、たとえば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格がある。このように構成すれば、ＨＤＭＩなどの所定のインターフェース規格に対応した接続部により、携帯情報処理装置と外部表示装置との間で、音声データ、映像データのみならず制御信号も容易に送ることができるので、容易に携帯情報処理装置と外部表示装置とを連携させることができる。
【図面の簡単な説明】
【００２５】
【図１】本発明の一実施形態による携帯情報処理装置を用いたホームネットワークシステムの構成を示した図である。
【図２】本発明の一実施形態による携帯情報処理装置の概観を示す斜視図である。
【図３】本発明の一実施形態による携帯情報処理装置の概観を示す斜視図である。
【図４】本発明の一実施形態による携帯情報処理装置の構成を示すブロック図である。
【図５】本発明の一実施形態による携帯情報処理装置の内蔵表示部に表示されるメニュー画面を示す図である。
【図６】本発明の一実施形態による携帯情報処理装置の内蔵表示部に表示されるコンテンツリスト表示画面を示す図である。
【図７】図１に示したホームネットワークシステムの表示態様（第１表示態様）を説明するための図である。
【図８】図１に示したホームネットワークシステムの表示態様（第２表示態様）を説明するための図である。
【図９】図１に示したホームネットワークシステムの表示態様（第３表示態様）を説明するための図である。
【図１０】本発明の一実施形態による携帯情報処理装置のコンテンツ再生処理を説明するためのフローチャートである。
【図１１】本発明の一実施形態による携帯情報処理装置の内蔵表示部およびテレビジョン装置にコンテンツリスト表示画面をミラー表示させた状態を示す図である。
【図１２】本発明の一実施形態による携帯情報処理装置に対するメディアプレーヤのコンテンツの再生操作について説明するための図である。
【図１３】本発明の一実施形態による携帯情報処理装置の内蔵表示部およびテレビジョン装置のそれぞれにコンテンツリスト表示画面およびメディアプレーヤのコンテンツを拡張表示させた状態を示す図である。
【図１４】本発明の一実施形態による携帯情報処理装置の内蔵表示部およびテレビジョン装置にメディアプレーヤのコンテンツをミラー表示させた状態を示す図である。
【図１５】本発明の一実施形態による携帯情報処理装置のＨＤＭＩ接続された場合の処理を説明するためのフローチャートである。
【図１６】本発明の一実施形態による携帯情報処理装置の内蔵表示部およびテレビジョン装置にメディアプレーヤ以外のアプリケーションの画像をミラー表示させた状態を示す図である。
【図１７】本発明の一実施形態による携帯情報処理装置のＨＤＭＩ接続が外された場合の処理を説明するためのフローチャートである。
【図１８】参考例による携帯情報処理装置の内蔵表示部およびテレビジョン装置のそれぞれにタッチパネル式のキーボードおよびインターネットブラウザ（文字入力を伴うアプリケーション）を拡張表示させた状態を示す図である。
【図１９】参考例による携帯情報処理装置の内蔵表示部およびテレビジョン装置のそれぞれにタッチパネル式のキーボードおよび電子メールのアプリケーション（文字入力型アプリケーション）を拡張表示させた状態を示す図である。
【図２０】参考例による携帯情報処理装置の文字入力時の処理を説明するためのフローチャートである。
【図２１】参考例による携帯情報処理装置の内蔵表示部およびテレビジョン装置のそれぞれにタッチパネル式のキーボードおよびメディアプレーヤのコンテンツを拡張表示させた状態を示す図である。
【図２２】参考例による携帯情報処理装置の文字入力型アプリケーション起動時の処理を説明するためのフローチャートである。
【発明を実施するための形態】
【００２６】
以下、本発明の実施形態を図面に基づいて説明する。
【００２７】
（実施形態）
図１〜図１７を参照して、本発明の一実施形態による携帯情報処理装置１の構成について説明する。
【００２８】
図１に示すように、このホームネットワークシステムでは、本発明の一実施形態による携帯情報処理装置１を含む様々な機器同士が、有線ＬＡＮ、無線ＬＡＮまたはそれらの組み合わせからなるホームネットワークで相互接続されている。これらの機器はＤＬＮＡ（Ｄｉｇｉｔａｌ  Ｌｉｖｉｎｇ  Ｎｅｔｗｏｒｋ  Ａｌｌｉａｎｃｅ）に対応している。なお、ＤＬＮＡは、ネットワーク接続された対応機器間でメディアデータを共有することが可能なネットワーク規格であり、これらの対応機器同士でＤＬＮＡ規格に準拠した通信を相互に行うことが可能である。
【００２９】
本実施形態では、ホームネットワークシステムを構成するＤＬＮＡ対応機器として、携帯情報処理装置１、メディアデータを保有するメディア保有機器２、映像や画像などのコンテンツに関するメディアデータを再生表示することが可能なテレビジョン装置（ＴＶ装置）３およびインターネットに接続するためのルータ４が含まれる。また、携帯情報処理装置１には、ＤＬＮＡ非対応のテレビジョン装置（ＴＶ装置）５がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル１００により直接的に接続されている。なお、ＨＤＭＩは、音声データ、映像データおよび制御信号を伝送可能な所定のケーブル（ＨＤＭＩケーブル）で２つの機器間を接続して機器間の連携動作を行うことが可能なインターフェース規格である。また、メディア保有機器２としては、パーソナルコンピュータ、ハードディスクレコーダ、デジタルカメラなどの映像や画像などのコンテンツに関するメディアデータを保有する機器が含まれる。また、このホームネットワークシステムは、ルータ４を介してインターネットに接続することにより、インターネット上のコンテンツ（メディアデータ）を取得することが可能である。なお、メディア保有機器２は、本発明の「デジタルメディアサーバ」および「ＤＬＮＡ対応機器」の一例であり、テレビジョン装置５は、本発明の「外部表示装置」の一例である。
【００３０】
また、携帯情報処理装置１は、携帯情報処理装置１にＨＤＭＩ接続されたＤＬＮＡ非対応のテレビジョン装置５に対して、ＤＬＮＡ対応機器であるメディア保有機器２からホームネットワークを介してＤＬＮＡ規格に準拠した通信により取得したメディアデータを再生表示させることが可能なように構成されている。この場合、携帯情報処理装置１は、テレビジョン装置５と同一のメディアデータを内蔵表示部１０に表示させること（ミラー表示）が可能であるとともに、内蔵表示部１０に後述するデジタルメディアコントローラとしての表示を行うことも可能なように構成されている。さらに、携帯情報処理装置１は、後述する内蔵メモリ（フラッシュメモリ１８ｂ）やＳＤカード接続部１４に接続されたＳＤカード５０からメディアデータを取得してＤＬＮＡ非対応のテレビジョン装置５にメディアデータを再生表示させることが可能に構成されている。また、携帯情報処理装置１は、通常のＤＬＮＡ対応機器と同様、メディア保有機器２のメディアデータをテレビジョン装置３に再生表示させることも可能であり、この場合、内蔵表示部１０には、デジタルメディアコントローラとしての表示が行われるように構成されている。
【００３１】
次に、ＤＬＮＡによるホームネットワークにおける各々のＤＬＮＡ対応機器の機能について説明する。メディア保有機器２は、ホームネットワーク内においてメディアデータの供給源としてのデジタルメディアサーバ（以下、ＤＭＳと呼ぶ）として機能する。また、テレビジョン装置３は、ホームネットワーク内において表示部としてのデジタルメディアレンダラ（以下、ＤＭＲと呼ぶ）として機能する。また、携帯情報処理装置１は、ＤＭＳからメディアデータを直接取得して内蔵表示部１０に再生表示させるデジタルメディアプレーヤ（ＤＭＰ）として機能するとともに、デジタルメディアサーバ（ＤＭＳ）から取得したメディアデータをデジタルメディアレンダラ（ＤＭＲ）に表示させるデジタルメディアコントローラ（ＤＭＣ）として機能する。ここで、本実施形態では、携帯情報処理装置１は、上記した通常のＤＬＮＡ対応機器としてのＤＭＰおよびＤＭＣの機能に加えて、ＨＤＭＩ接続されたＤＬＮＡ非対応のテレビジョン装置５に対しても擬似的にＤＭＣとして機能するように構成されている。すなわち、携帯情報処理装置１は、ＤＭＳからＤＬＮＡ規格に準拠して取得したメディアデータをＨＤＭＩ接続されたＤＬＮＡ非対応のテレビジョン装置５に再生表示させるとともに、携帯情報処理装置１の内蔵表示部１０には、ＤＭＣとしての表示をさせることが可能である。
【００３２】
上記のように、本実施形態による携帯情報処理装置１は、ＤＬＮＡ対応機器を用いたホームネットワークシステム内において、再生表示対象のメディアデータの所在およびその再生表示先などの状況によって、ＤＭＰとしても機能し、ＤＭＣとしても機能する。なお、携帯情報処理装置１は、ホームネットワークに接続されていない場合であっても、自己が保有するメディアデータ（コンテンツ）を自己の再生表示機能によって再生表示することが可能である。
【００３３】
これらのＤＬＮＡ対応機器はホームネットワークを介して相互に通信し合っており、ＤＭＣまたはＤＭＰとしての携帯情報処理装置１は、ホームネットワーク内のＤＭＳに存在するメディアデータを随時認識することが可能である。また、携帯情報処理装置１は、自己の内蔵メモリ（後述するフラッシュメモリ１８ｂ）に保有するメディアデータや自己に接続される記録媒体（後述するＳＤカード５０、ＵＳＢメモリなど）が保有するメディアデータを認識することが可能である。すなわち、本実施形態による携帯情報処理装置１は、自己がアクセス可能なメディアデータの全てを随時認識しており、そのメディアデータをホームネットワークを経由するかまたは内蔵メモリ（フラッシュメモリ１８ｂ）または記憶媒体から取得することが可能であるとともに、自己またはホームネットワーク内のＤＭＲまたはＨＤＭＩ接続された外部表示装置（テレビジョン装置５）において再生表示することが可能である。
【００３４】
また、本実施形態による携帯情報処理装置１は、ホームネットワークのルータ４を介してインターネット接続可能に構成されており、インターネット接続をすることにより電子メール、ビデオチャット、ボイスチャットおよびＩＰ電話機能などを使用可能に構成されている。また、携帯情報処理装置１は、インターネット接続をしていない場合にも、オーディオ機器類（図示せず）のリモコンとして機能するとともに、携帯情報処理装置１自身をオーディオビジュアル機器（ＡＶ機器）として使用可能に構成されている。
【００３５】
次に、本実施形態による携帯情報処理装置１の構造について説明する。図２〜図４に示すように、本実施形態による携帯情報処理装置１は、情報を表示する内蔵表示部１０を含んでいる。内蔵表示部１０は、図４に示すように、タッチパネル機能を有しており、ユーザが内蔵表示部１０に表示された画面上の操作ボタンを押下することにより、アプリケーションに従った操作が可能なように構成されている。特に、本実施形態では、ユーザの操作によって内蔵表示部１０に携帯情報処理装置１がアクセス可能なメディアデータ（コンテンツ）の全てまたは一部がリスト表示されるとともに、そのリストの中からユーザが再生表示したいコンテンツを選択することが可能に構成されている。また、再生表示先が複数ある場合（たとえば、携帯情報処理装置１の内蔵表示部１０、ＤＭＲとしてのテレビジョン装置３およびＨＤＭＩ接続されたテレビジョン装置５など）には、携帯情報処理装置１におけるタッチパネルの操作によって、ユーザはコンテンツの再生表示先（上記の例では、内蔵表示部１０、ＤＭＲとしてのテレビジョン装置３またはＨＤＭＩ接続されたテレビジョン装置５）を選択することも可能である。
【００３６】
また、図２〜図４に示すように、携帯情報処理装置１は、スイッチ部１１と、無線ＬＡＮ接続部１２（図４参照）と、音声ケーブル接続部１３（図３および図４参照）と、ＳＤカード接続部１４（図４参照）と、ＨＤＭＩ接続部１５（図３および図４参照）と、ＵＳＢ接続部１６（図３および図４参照）と、電源コネクタ１７（図３参照）とをさらに含んでいる。
【００３７】
スイッチ部１１は、携帯情報処理装置１の各モード（リモコンモードやメディアプレーヤモードなど）を切り替えるなどの操作を行うために設けられている。無線ＬＡＮ接続部１２は、携帯情報処理装置１をホームネットワークに接続するために設けられている。なお、無線ＬＡＮ接続部１２は、本発明の「通信部」の一例である。ＳＤカード接続部１４は、ＳＤカード５０を挿入可能なカードスロット１４ａと、カードスロット１４ａに挿入されたＳＤカード５０に格納されたメディアデータなどのデータを読み取る読取部１４ｂとを有している。なお、ＳＤカード接続部１４は、本発明の「記録媒体接続部」の一例であり、ＳＤカード５０は、本発明の「可搬型記録媒体」の一例である。
【００３８】
ＨＤＭＩ接続部１５は、テレビジョン装置５とホームネットワークを介さずに直接的に接続可能に構成されている。また、ＨＤＭＩ接続部１５は、ＨＤＭＩケーブル１００（図１参照）を介してＤＬＮＡに非対応のテレビジョン装置５に対して映像および音声データを送信可能に構成されている。なお、ＨＤＭＩ接続部１５は、本発明の「外部表示装置接続部」の一例である。
【００３９】
また、２つのＵＳＢ接続部１６は、図示しないＵＳＢケーブルを介してＵＳＢメモリやハードディスクなどの外部記憶装置（図示せず）と接続するために設けられており、携帯情報処理装置１は外部記憶装置に格納されたメディアデータなどのデータを読み取ることが可能である。また、ＵＳＢ接続部１６を用いてパーソナルコンピュータなどの外部機器に接続することにより、外部機器と携帯情報処理装置１との間でデータの送受信などを行うことも可能である。なお、ＵＳＢ接続部１６は、本発明の「記録媒体接続部」の一例であり、ＵＳＢメモリやハードディスクなどの外部記憶装置は、本発明の「可搬型記録媒体」の一例である。また、音声ケーブル接続部１３は、イヤホン（図示せず）またはヘッドホン（図示せず）などを接続可能に構成されている。また、電源コネクタ１７は、携帯情報処理装置１に電力を取り入れるために設けられている。
【００４０】
また、携帯情報処理装置１は、図４に示すように、ＣＰＵ１８ａ、フラッシュメモリ１８ｂおよび主メモリ１８ｃを含んでいる。ＣＰＵ１８ａは、フラッシュメモリ１８ｂに記憶されているプログラムを主メモリ１８ｃに読み出して実行することが可能である。また、フラッシュメモリ１８ｂにはプログラムデータのみならず、内蔵表示部１０において再生表示可能なメディアデータなども格納されている。本実施形態では、ＣＰＵ１８ａは、アクセス可能なメディアデータを随時認識し、ユーザの操作に応じてメディアデータ（コンテンツ）をリスト表示する制御を行うように構成されている。また、ＣＰＵ１８ａは、ユーザにより選択されたコンテンツのメディアデータを取得し、そのコンテンツを内蔵表示部１０に再生表示する制御を行うように構成されている。また、ＣＰＵ１８ａは、他の表示再生機器（ＤＬＮＡ対応のテレビジョン装置３またはＤＬＮＡ非対応のテレビジョン装置５など）にメディアデータ（コンテンツ）を送信するとともに、他の表示再生機器に対して再生表示させるように構成されている。なお、ＣＰＵ１８ａは、本発明の「制御部」の一例であり、フラッシュメモリ１８ｂは、本発明の「内蔵メモリ」の一例である。
【００４１】
ここで、本実施形態では、ＣＰＵ１８ａは、ＨＤＭＩ接続されたＤＬＮＡ非対応のテレビジョン装置５に、内蔵表示部１０に表示されるデータと同じデータを表示させるミラー表示モードと、テレビジョン装置５にデータを表示させるとともに、内蔵表示部１０にテレビジョン装置５に表示させるデータとは異なるデータを表示させる拡張表示モードとを切り替え可能に構成されている。詳細には、ＣＰＵ１８ａは、後述するように、ＨＤＭＩ接続部１５にテレビジョン装置５が接続されており、かつ、メディアプレーヤが起動していることに基づいて、ミラー表示モードと拡張表示モードとのうち拡張表示モードを選択するように構成されている。
【００４２】
次に、図５〜図９を参照して、本実施形態による携帯情報処理装置１のメディアデータ（コンテンツ）の再生表示に関する表示態様について説明する。
【００４３】
携帯情報処理装置１は、ホームネットワークを介してＤＭＳから取得したメディアデータ、携帯情報処理装置１の内蔵メモリ（フラッシュメモリ１８ｂ）に格納されているメディアデータ、ＵＳＢ接続部１６に接続されたハードディスクなどの外部記憶装置に格納されたメディアデータ、またはＳＤカード接続部１４に接続されたＳＤカード５０に格納されたメディアデータなどを随時認識し、その認識したメディアデータに関するＤＭＣとしての表示を内蔵表示部１０において行うように構成されている。
【００４４】
具体的には、携帯情報処理装置１は、図５に示すメニュー画面１０１において複数のアプリケーションの中からメディアプレーヤ１０１ａが選択されると、図６に示すように、ＤＭＣとしての表示であるコンテンツリスト表示画面１０２を表示するように構成されている。ユーザは、コンテンツリスト表示画面１０２のメディアローラ１０２ａを押下して所定の格納場所（ＤＭＳ２、内蔵メモリ（フラッシュメモリ１８ｂ）、外部記憶装置、ＳＤカード５０など）に格納されているコンテンツ（メディアデータ）をリスト表示（サムネイルで一覧表示）させることが可能である。そして、携帯情報処理装置１は、内蔵表示部１０にリスト表示されたコンテンツの中からユーザにより再生表示するコンテンツが選択された場合に、選択されたコンテンツを再生表示させるように構成されている。すなわち、携帯情報処理装置１は、コンテンツリスト表示画面１０２を介して、メディアプレーヤのコンテンツの再生指示を受け付けるように構成されている。また、携帯情報処理装置１は、後述するように、選択されたコンテンツを、状況に応じて自己の内蔵表示部１０、ホームネットワークに接続されたＤＬＮＡ対応のテレビジョン装置（ＴＶ装置）３または携帯情報処理装置１にＨＤＭＩ接続されたＤＬＮＡ非対応のテレビジョン装置（ＴＶ装置）５のいずれかに再生表示させるように構成されている。
【００４５】
本実施形態による携帯情報処理装置１を用いたホームネットワークシステムでは、この携帯情報処理装置１におけるコンテンツリスト表示画面１０２（図６参照）およびコンテンツの再生表示と、外部のテレビジョン装置３またはテレビジョン装置５におけるコンテンツの再生表示とを組み合わせて、複数の表示態様をとることが可能である。具体的には、図７〜図９に示すように、携帯情報処理装置１は、ホームネットワークに接続されたＤＬＮＡ対応のテレビジョン装置３をＤＭＲとして用いる第１表示態様（図７に示す本来のＤＬＮＡ機能による表示態様）と、携帯情報処理装置１にＨＤＭＩ接続されたＤＬＮＡ非対応のテレビジョン装置５を擬似ＤＭＲとして用いる第２表示態様（図８に示す擬似ＤＬＮＡ機能による表示態様）と、携帯情報処理装置１において自己の再生表示機能によって再生表示する図９に示す第３表示態様とを主にとることが可能である。なお、これら第１〜第３表示態様については、以下のコンテンツ再生処理の説明において詳細に説明する。
【００４６】
次に、図１０を参照して、本発明の一実施形態による携帯情報処理装置１のコンテンツ再生処理について説明する。
【００４７】
図５に示すメニュー画面１０１においてユーザによりメディアプレーヤ１０１ａが選択される（メディアプレーヤが起動される）と、図１０に示すコンテンツ再生処理が実行される。まず、ＣＰＵ１８ａは、図１０のステップＳ１において、ＨＤＭＩ接続部１５にＤＬＮＡに非対応のテレビジョン装置５が接続されているか否かを判断する。テレビジョン装置（ＴＶ装置）５が接続されている場合には、ＣＰＵ１８ａは、ステップＳ２において、図１１に示すように、ミラー表示モードにより内蔵表示部１０およびＨＤＭＩ接続されたテレビジョン装置５の両方にコンテンツリスト表示画面１０２をミラー表示させる。そして、ステップＳ３において、ＣＰＵ１８ａは、ユーザによるコンテンツの再生指示を受け付ける。ユーザは、タッチパネル式の内蔵表示部１０に表示されたコンテンツリスト表示画面１０２を介して、上記した第１〜第３表示態様（図７〜図９参照）のいずれかの再生指示を行うことが可能である。
【００４８】
具体的には、ユーザは、図１２に示すように、メディアローラ１０２ａを押下して所望の格納場所（ＤＭＳ２、内蔵メモリ（フラッシュメモリ１８ｂ）、外部記憶装置、ＳＤカード５０など）のコンテンツをリスト表示させた後、Ｐｌａｙｔｏボタン１０２ｂを押下して出力先（ＤＭＲアイコン１０２ｃおよびＨＤＭＩアイコン１０２ｄ）を表示させる。そして、ユーザは、リスト表示された複数のコンテンツの中から所望のコンテンツ（携帯情報処理装置１のフラッシュメモリ１８ｂ、ＳＤカード５０またはＤＭＳ２に格納されているコンテンツ）を選択してＤＭＲアイコン１０２ｃ上にドロップすることによって、ホームネットワークに接続されたＤＬＮＡ対応のテレビジョン装置３をＤＭＲとして用いる第１表示態様（図７参照）を得ることが可能となる。また、ユーザは、リスト表示された複数のコンテンツの中から所望のコンテンツ（携帯情報処理装置１のフラッシュメモリ１８ｂ、ＳＤカード５０またはＤＭＳ２に格納されているコンテンツ）を選択してＨＤＭＩアイコン１０２ｄ上にドロップすることによって、携帯情報処理装置１にＨＤＭＩ接続されたＤＬＮＡ非対応のテレビジョン装置５を擬似ＤＭＲとして用いる第２表示態様（図８参照）を得ることが可能である。また、ユーザは、リスト表示された複数のコンテンツの中から所望のコンテンツ（携帯情報処理装置１のフラッシュメモリ１８ｂ、ＳＤカード５０またはＤＭＳ２に格納されているコンテンツ）を選択してダブルタップ（ダブルクリック）することによって、携帯情報処理装置１において自己の再生表示機能によって再生表示する第３表示態様（図９参照）を得ることが可能である。
【００４９】
ＣＰＵ１８ａは、ステップＳ３で再生指示を受け付けると、ステップＳ４において、再生指示の内容がＰｌａｙ  ｔｏ  ＨＤＭＩ（ＨＤＭＩ接続されたテレビジョン装置５を擬似ＤＭＲとして用いる第２表示態様）であるか否かを判断する。指示内容がＰｌａｙ  ｔｏ  ＨＤＭＩの場合には、ＣＰＵ１８ａは、ステップＳ５において、拡張表示モードを選択する。すなわち、ＣＰＵ１８ａは、ユーザが所望のコンテンツを選択してＨＤＭＩアイコン１０２ｄ上にドロップしたことに応答して拡張表示モードを選択する。この際、ＣＰＵ１８ａは、図１３に示すように、拡張表示モードにより、内蔵表示部１０にＤＭＣの表示としてのコンテンツリスト表示画面１０２を表示させた状態で、ＨＤＭＩ接続されたテレビジョン装置５に選択されたコンテンツを再生表示させる。つまり、ユーザが選択したコンテンツがテレビジョン装置５に再生表示されながら、携帯情報処理装置１には擬似的なＤＭＣとしての表示が行われる。これにより、Ｐｌａｙ  ｔｏ  ＨＤＭＩの指示と後述するＰｌａｙ  ｔｏ  ＤＭＲの指示とで、ユーザの使用感（ユーザの携帯情報処理装置１における操作内容およびその操作による再生表示などの操作結果）は同一となり、この点が本実施形態の携帯情報処理装置１を用いる場合のユーザにとっての特徴的な利点となる。
【００５０】
また、この際、ユーザがメディア保有機器２内のメディアデータを選択した場合には、図８に示すように、ホームネットワークに接続されていないテレビジョン装置５にメディア保有機器（ＤＭＳ）２から直接メディアデータを送信することはできないので、携帯情報処理装置１は、選択されたメディアデータをメディア保有機器２から取得し、取得したメディアデータをテレビジョン装置５にＨＤＭＩケーブル１００を介して送信するとともに、テレビジョン装置５にそのメディアデータ（コンテンツ）を再生表示させる。また、ユーザが携帯情報処理装置１内のフラッシュメモリ１８ｂまたはＳＤカード５０に格納されているメディアデータを選択した場合には、携帯情報処理装置１は、選択されたメディアデータをテレビジョン装置５に送信するとともに、テレビジョン装置５にそのメディアデータ（コンテンツ）を再生表示させる。
【００５１】
また、指示内容がＰｌａｙ  ｔｏ  ＨＤＭＩでない場合には、ＣＰＵ１８ａは、ステップＳ６において、指示内容がＰｌａｙ  ｔｏ  ＤＭＲ（ホームネットワークに接続されたＤＬＮＡ対応のテレビジョン装置３をＤＭＲとして用いる第１表示態様）であるか否かを判断する。指示内容がＰｌａｙ  ｔｏ  ＤＭＲであれば、ＣＰＵ１８ａは、ステップＳ７において、ミラー表示モードを選択する。詳細には、ＣＰＵ１８ａは、図１１に示すように、ミラー表示モードにより、内蔵表示部１０およびＨＤＭＩ接続されたテレビジョン装置５の両方にＤＭＣの表示としてのコンテンツリスト表示画面１０２を表示させた状態で、ホームネットワークに接続されたＤＬＮＡ対応のテレビジョン装置（ＤＭＲ）３にユーザにより選択されたコンテンツを再生表示させる。すなわち、図７に示すように、携帯情報処理装置１およびＤＬＮＡ対応のテレビジョン装置３がそれぞれＤＭＣ（デジタルメディアコントローラ）およびＤＭＲとなり、ホームネットワークに接続されたＤＭＲ（本実施形態では、ＤＬＮＡ対応のテレビジョン装置３）にメディアデータが再生表示される。そして、ＨＤＭＩ接続されたテレビジョン装置５には、ＤＭＣとしての携帯情報処理装置１の内蔵表示部１０と同様に、コンテンツリスト表示画面１０２が表示される。
【００５２】
ステップＳ６で指示内容がＰｌａｙ  ｔｏ  ＤＭＲでない場合には、ＣＰＵ１８ａは、ステップＳ８において、指示内容が携帯情報処理装置１において自己の再生表示機能によって再生表示する第３表示態様であるとして、ミラー表示モードを選択する。詳細には、ＣＰＵ１８ａは、図１４に示すように、ミラー表示モードにより、内蔵表示部１０およびＨＤＭＩ接続されたテレビジョン装置５の両方にユーザにより選択されたコンテンツを再生表示させる。
【００５３】
この際、図９に示すように、ユーザがメディア保有機器２内のメディアデータを選択した場合には、携帯情報処理装置１は、選択されたメディアデータをホームネットワークを介してメディア保有機器２から取得し、取得したメディアデータ（コンテンツ）を内蔵表示部１０に再生表示しながら、そのメディアデータをＨＤＭＩケーブル１００を介してテレビジョン装置５に送信して、送信したメディアデータ（コンテンツ）をテレビジョン装置５に再生表示させる。また、ユーザが携帯情報処理装置１内のフラッシュメモリ１８ｂまたはＳＤカード５０に格納されているメディアデータを選択した場合には、携帯情報処理装置１は、選択されたメディアデータ（コンテンツ）を再生表示しながら、選択されたメディアデータをＨＤＭＩケーブル１００を介してテレビジョン装置５に送信して、送信したメディアデータ（コンテンツ）をテレビジョン装置５に再生表示させる。この場合、携帯情報処理装置１は、自身がコンテンツを再生表示するＤＭＰ（デジタルメディアプレーヤ）として機能している。
【００５４】
ＣＰＵ１８ａは、上記したステップＳ５、ステップＳ７またはステップＳ８の後、ステップＳ９において、コンテンツの再生終了指示を受け付け、ステップＳ２の内蔵表示部１０およびＨＤＭＩ接続されたテレビジョン装置５の両方にコンテンツリスト表示画面１０２をミラー表示させる動作（図１１参照）に戻る。すなわち、ＣＰＵ１８ａは、コンテンツの再生動作が終了したことに基づいて、拡張表示モードからミラー表示モードに切り替えて、または、ミラー表示モードを維持した状態で、内蔵表示部１０およびＨＤＭＩ接続されたテレビジョン装置５の両方にコンテンツリスト表示画面１０２を表示させる。
【００５５】
一方、図５に示すメニュー画面１０１においてユーザによりメディアプレーヤ１０１ａが選択された（メディアプレーヤが起動された）際に、ＨＤＭＩ接続部１５にＤＬＮＡに非対応のテレビジョン装置５が接続されていない場合には、ＣＰＵ１８ａは、図１０に示すステップＳ１０において、内蔵表示部１０にコンテンツリスト表示画面１０２（図１２参照）を表示させる。そして、ＣＰＵ１８ａは、ステップＳ１１において、ユーザによるコンテンツの再生指示を受け付ける。この際、ユーザによりＰｌａｙｔｏボタン１０２ｂが押下されても、出力先としてＤＭＲアイコン１０２ｃだけが表示され、ＨＤＭＩアイコン１０２ｄは表示されない。すなわち、ユーザは、Ｐｌａｙ  ｔｏ  ＨＤＭＩを選択（指示）することができない。
【００５６】
ＣＰＵ１８ａは、ステップＳ１２において、指示内容がＰｌａｙ  ｔｏ  ＤＭＲ（ホームネットワークに接続されたＤＬＮＡ対応のテレビジョン装置３をＤＭＲとして用いる第１表示態様）であるか否かを判断する。指示内容がＰｌａｙ  ｔｏ  ＤＭＲであれば、ＣＰＵ１８ａは、ステップＳ１３において、内蔵表示部１０にコンテンツリスト表示画面１０２を表示させた状態で、ホームネットワークに接続されたＤＬＮＡ対応のテレビジョン装置３にユーザにより選択されたコンテンツを再生表示させる。
【００５７】
また、指示内容がＰｌａｙ  ｔｏ  ＤＭＲでない場合には、ＣＰＵ１８ａは、ステップＳ１４において、指示内容が携帯情報処理装置１において自己の再生表示機能によって再生表示する第３表示態様であるとして、内蔵表示部１０にユーザにより選択されたコンテンツを再生表示させる。
【００５８】
ＣＰＵ１８ａは、上記したステップＳ１３またはステップＳ１４の後、ステップＳ１５において、コンテンツの再生終了指示を受け付け、ステップＳ１０の内蔵表示部１０にコンテンツリスト表示画面１０２を表示させる動作に戻る。上記のように、本発明の一実施形態による携帯情報処理装置１のコンテンツ再生処理が行われる。
【００５９】
次に、図１５を参照して、本発明の一実施形態による携帯情報処理装置１のＨＤＭＩ接続された場合の処理について説明する。
【００６０】
ユーザによりＨＤＭＩ接続部１５にＤＬＮＡに非対応のテレビジョン装置５が接続されると、図１５に示すＨＤＭＩ接続された場合の処理が実行される。まず、ＣＰＵ１８ａは、図１５のステップＳ２１において、メディアプレーヤが起動中か否かを判断する。メディアプレーヤが起動していない場合には、ＣＰＵ１８ａは、ステップＳ２２において、ミラー表示モードを選択する。すなわち、メディアプレーヤが起動しておらず、メディアプレーヤ以外のアプリケーションが起動している場合には、ＣＰＵ１８ａは、図１６に示すように、ミラー表示モードにより、内蔵表示部１０およびＨＤＭＩ接続されたテレビジョン装置５の両方に対応するアプリケーションの同一の画像を表示させる。これにより、ユーザは手元の携帯情報処理装置１の内蔵表示部１０およびテレビジョン装置５の両方の表示部で所望のアプリケーションの画像を見ることが可能となるので、たとえば、複数人で大きな画像を見たい場合などに有効である。
【００６１】
また、メディアプレーヤが起動中の場合には、ＣＰＵ１８ａは、ステップＳ２３において、コンテンツが再生中か否かを判断する。コンテンツが再生中の場合には、ＣＰＵ１８ａは、ステップＳ２４において、拡張表示モードを選択する。すなわち、上記した図１０のステップＳ５の動作と同様に、ＣＰＵ１８ａは、図１３に示すように、拡張表示モードにより、内蔵表示部１０にＤＭＣの表示としてのコンテンツリスト表示画面１０２を表示させた状態で、ＨＤＭＩ接続されたテレビジョン装置５にユーザにより選択されたコンテンツを再生表示させる。
【００６２】
一方、メディアプレーヤは起動中であるが、コンテンツが再生されていない場合には、ＣＰＵ１８ａは、ステップＳ２５において、ミラー表示モードを選択して、図１１に示すように、内蔵表示部１０およびＨＤＭＩ接続されたテレビジョン装置５の両方にコンテンツリスト表示画面１０２を表示させる。その後、ＣＰＵ１８ａは、ステップＳ２６において、ユーザによるコンテンツの再生指示を受け付け、それ以降のステップにおいて指示内容に応じた表示態様でユーザにより選択されたコンテンツを再生表示する。具体的には、ＣＰＵ１８ａは、ステップＳ２７、Ｓ２８、Ｓ２９、Ｓ３０およびＳ３１において、それぞれ、上記した図１０に示すコンテンツ再生処理のステップＳ４、Ｓ５、Ｓ６、Ｓ７およびＳ８における内容と同様の動作を行って、ＨＤＭＩ接続された場合の処理を終了する。
【００６３】
次に、図１７を参照して、本発明の一実施形態による携帯情報処理装置１のＨＤＭＩ接続が外された場合の処理について説明する。
【００６４】
ユーザによりＨＤＭＩ接続部１５に接続されたＤＬＮＡに非対応のテレビジョン装置５がＨＤＭＩ接続部１５から外されると、図１７に示すＨＤＭＩ接続が外された場合の処理が実行される。まず、ＣＰＵ１８ａは、図１７のステップＳ４１において、メディアプレーヤが起動中か否かを判断する。メディアプレーヤが起動中の場合には、ＣＰＵ１８ａは、ステップＳ４２において、コンテンツが再生中か否かを判断する。コンテンツが再生中の場合には、ＣＰＵ１８ａは、ステップＳ４３において、コンテンツがＰｌａｙ  ｔｏ  ＨＤＭＩ（ＨＤＭＩ接続されたテレビジョン装置５を擬似ＤＭＲとして用いる第２表示態様）で再生されているか否かを判断し、Ｐｌａｙ  ｔｏ  ＨＤＭＩで再生中の場合には、ステップＳ４４において、内蔵表示部１０にコンテンツを再生表示させる。すなわち、コンテンツがＰｌａｙ  ｔｏ  ＨＤＭＩで再生されており、図１３に示すように、内蔵表示部１０にはコンテンツリスト表示画面１０２が表示されるとともに、ＨＤＭＩ接続されたテレビジョン装置５にはコンテンツが再生表示されていた場合には、ＣＰＵ１８ａは、内蔵表示部１０の表示をコンテンツリスト表示画面１０２から再生中のコンテンツの再生画像に切り替える。これにより、コンテンツを再生表示していたＨＤＭＩ接続されたテレビジョン装置５が非接続状態になった場合でも、内蔵表示部１０にコンテンツの再生表示が行われるので、ユーザは内蔵表示部１０でコンテンツの再生画像を見ることが可能である。
【００６５】
また、ＨＤＭＩ接続が外された際に、メディアプレーヤが起動されていない場合、メディアプレーヤは起動中であるがコンテンツが再生されていない場合、または、Ｐｌａｙ  ｔｏ  ＨＤＭＩ（ＨＤＭＩ接続されたテレビジョン装置５を擬似ＤＭＲとして用いる第２表示態様）以外の表示態様でコンテンツが再生されている場合には、ＣＰＵ１８ａは、内蔵表示部１０の表示を変更することなく、ＨＤＭＩ接続部１５からテレビジョン装置５への映像および音声データの送信（出力）を停止する。上記のように、本発明の一実施形態による携帯情報処理装置１のＨＤＭＩ接続が外された場合の処理が行われる。
【００６６】
本実施形態では、上記のように、少なくとも、ＨＤＭＩ接続部１５にテレビジョン装置５が接続され、かつ、メディアプレーヤが起動していることに基づいて、内蔵表示部１０にデータを表示させるとともに、テレビジョン装置５に、内蔵表示部１０に表示されるデータと同じデータを表示させるミラー表示モードと、テレビジョン装置５にデータを表示させるとともに、内蔵表示部１０に、テレビジョン装置５に表示させるデータとは異なるデータを表示させる拡張表示モードとのうち拡張表示モードを選択するＣＰＵ１８ａを設ける。これによって、状況に応じて、拡張表示モードにするのが好ましい場合には、拡張表示モードが選択されるので、内蔵表示部１０およびテレビジョン装置５の表示態様（ミラー表示モードおよび拡張表示モード）を選択的に使い分けることができる。また、ＣＰＵ１８ａにより、少なくとも、ＨＤＭＩ接続部１５にテレビジョン装置５が接続され、かつ、メディアプレーヤが起動していることに基づいて、自動的に、ミラー表示モードと拡張表示モードとのうちの拡張表示モードが選択されるので、ユーザがモード選択操作を行うことなく、メディアプレーヤが起動している場合には、拡張表示モードが選択され、それ以外のアプリケーションの場合はミラー表示モードが選択される。これにより、ユーザのモード選択操作による操作負担を削減することができるので、利便性を向上させることができる。
【００６７】
また、本実施形態では、上記のように、ＣＰＵ１８ａを、拡張表示モードのときに、テレビジョン装置５にメディアプレーヤのコンテンツ（メディアデータ）を表示させるとともに、内蔵表示部１０にメディアプレーヤに関する指示（たとえば、コンテンツの再生指示）を受け付けるためのコンテンツリスト表示画面１０２を表示させるように構成することによって、拡張表示モードのときに、ユーザは、テレビジョン装置５に表示されるメディアプレーヤのコンテンツを見ながら、手元の携帯情報処理装置１の内蔵表示部１０を介してテレビジョン装置５に表示されるメディアプレーヤに関する指示（たとえば、コンテンツの再生指示）を行うことができる。これにより、サイズの大きいテレビジョン装置５でメディアプレーヤのコンテンツを見ながら、手元でテレビジョン装置５に表示されるメディアプレーヤに関する指示を行うことができるので、コンテンツを見やすくすることができるとともに、メディアプレーヤに関する指示を行いやすくすることができる。その結果、利便性をより向上させることができる。
【００６８】
また、本実施形態では、上記のように、ＣＰＵ１８ａを、ＨＤＭＩ接続部１５にテレビジョン装置５が接続され、かつ、メディアプレーヤが起動されているとともに、テレビジョン装置５を出力先とする再生動作が行われていることに基づいて、拡張表示モードを選択して、テレビジョン装置５にメディアプレーヤのメディアデータ（コンテンツ）を表示させるとともに、内蔵表示部１０にコンテンツリスト表示画面１０２を表示させるように構成することによって、メディアプレーヤ使用時に、手元の内蔵表示部１０でコンテンツリストから所望のコンテンツを容易に選択することができるとともに、手元の内蔵表示部１０で選択したコンテンツをテレビジョン装置５に表示することができるので、メディアプレーヤの使用時におけるユーザの利便性を向上させることができる。
【００６９】
また、本実施形態では、上記のように、ＣＰＵ１８ａを、ＨＤＭＩ接続部１５にテレビジョン装置５が接続されている状態で、かつ、メディアプレーヤが起動されている状態で、テレビジョン装置５を出力先とするメディアプレーヤのメディアデータ（コンテンツ）の再生操作が行われたこと、または、メディアプレーヤが起動されている状態で、かつ、コンテンツの再生動作が行われている状態で、ＨＤＭＩ接続部１５へのテレビジョン装置５の接続が行われたことに基づいて、拡張表示モードを選択するように構成することによって、ユーザにより、メディアプレーヤの使用時にテレビジョン装置５を出力先とするコンテンツを選択するか、または、再生動作中にテレビジョン装置５を接続するだけで、自動的に拡張表示モードが選択されるので、メディアプレーヤの使用時におけるユーザの利便性を向上させることができる。
【００７０】
また、本実施形態では、上記のように、ＣＰＵ１８ａを、ＨＤＭＩ接続部１５にテレビジョン装置５が接続されている状態で、かつ、メディアプレーヤが起動されている状態で、テレビジョン装置５を出力先とするメディアデータの再生操作を行う際に再生するメディアデータ（コンテンツ）がコンテンツリスト表示画面１０２からユーザにより選択されたことに応答して、拡張表示モードを選択するように構成することによって、ユーザがコンテンツを選択するだけで、ＣＰＵ１８ａにより自動的に拡張表示モードが選択されるので、ユーザはミラー表示モードと拡張表示モードとを選択するために別途モード選択操作を行う必要がない。
【００７１】
また、本実施形態では、上記のように、メディアデータ（コンテンツ）が格納されたＳＤカード５０などを接続可能なＳＤカード接続部、および、コンテンツを格納可能なフラッシュメモリ１８ｂを設け、ＣＰＵ１８ａを、ＨＤＭＩ接続部１５にテレビジョン装置５が接続され、かつ、メディアプレーヤが起動されているとともに、テレビジョン装置５を出力先としてＳＤカード５０やフラッシュメモリ１８ｂのコンテンツの再生操作が行われていることに基づいて、拡張表示モードを選択するように構成することによって、ＳＤカード５０やフラッシュメモリ１８ｂに格納されたコンテンツをテレビジョン装置５に表示させるとともに、コンテンツリスト表示画面１０２を内蔵表示部１０に表示させる拡張表示モードによる表示を行うことができる。
【００７２】
また、本実施形態では、上記のように、ホームネットワークを介してデジタルメディアサーバとして機能するメディア保有機器２とＤＬＮＡ規格に準拠した通信が可能な無線ＬＡＮ接続部１２を設け、ＣＰＵ１８ａを、ＨＤＭＩ接続部１５にテレビジョン装置５が接続され、かつ、メディアプレーヤが起動されているとともに、テレビジョン装置５を出力先としてデジタルメディアサーバのメディアデータ（コンテンツ）の再生操作が行われたことに基づいて、拡張表示モードを選択するように構成することによって、ＤＬＮＡ対応のネットワーク内のデジタルメディアサーバに格納されたコンテンツを、ネットワークを介さずに直接的に接続されたテレビジョン装置５に表示させるとともに、コンテンツリスト表示画面１０２を内蔵表示部１０に表示させる拡張表示モードによる表示を行うことができる。
【００７３】
また、本実施形態では、上記のように、拡張表示モードにおいて、ＨＤＭＩ接続部１５にネットワークを介さずに直接的に接続されたテレビジョン装置５を擬似的なデジタルメディアレンダラとして、無線ＬＡＮ接続部１２を介してネットワーク経由でデジタルメディアサーバから取得したコンテンツを表示させるとともに、内蔵表示部１０を擬似的なデジタルメディアコントローラとしてコンテンツリスト表示画面１０２をメディアデータの選択が可能なように表示させるように構成することによって、内蔵表示部１０にネットワークを介さずに直接的に接続されたテレビジョン装置５に対して、容易に、ネットワーク内のＤＬＮＡ対応のデジタルメディアサーバから取得したコンテンツを表示させることができるとともに、コンテンツリスト表示画面１０２を内蔵表示部１０に表示させることができる。
【００７４】
また、本実施形態では、上記のように、ＣＰＵ１８ａを、メディアデータ（コンテンツ）の再生動作が終了したことに基づいて、拡張表示モードからミラー表示モードに切り替えるように構成することによって、容易に、再生動作終了後にミラー表示モードによる表示に切り替えることができる。
【００７５】
（参考例）
次に、図１８〜図２２を参照して、参考例について説明する。本参考例では、メディアプレーヤが起動されている場合に拡張表示モードを選択する上記実施形態とは異なり、文字入力を伴うアプリケーションが起動されている場合に、拡張表示モードを選択して内蔵表示部１０にタッチパネル式のキーボードを表示させる構成について説明する。
【００７６】
本参考例では、携帯情報処理装置１のＣＰＵ１８ａは、ＨＤＭＩ接続されたＤＬＮＡ非対応のテレビジョン装置５に、内蔵表示部１０に表示されるデータと同じデータを表示させるミラー表示モードと、テレビジョン装置５にデータを表示させるとともに、内蔵表示部１０にテレビジョン装置５に表示させるデータとは異なるデータを表示させる拡張表示モードとを切り替え可能に構成されている。具体的には、ＣＰＵ１８ａは、後述するように、ＨＤＭＩ接続部１５にテレビジョン装置５が接続されており、かつ、文字入力を伴うアプリケーションが起動されていることに基づいて、ミラー表示モードと拡張表示モードとのうち拡張表示モードを選択するように構成されている。ここで、文字入力を伴うアプリケーションには、一部文字入力型アプリケーションと全部文字入力型アプリケーションとがある。一部文字入力型アプリケーションとは、操作の全体ではなく一部として文字入力を伴うアプリケーションであり、たとえば、インターネットブラウザなどが該当する。また、全部文字入力型アプリケーションとは、操作の全体として文字入力を伴うアプリケーションであり、たとえば、電子メールや文章作成用のアプリケーションが該当する。
【００７７】
より詳細には、携帯情報処理装置１のＣＰＵ１８ａは、後述するように、ＨＤＭＩ接続部１５にＤＬＮＡに非対応のテレビジョン装置５が接続されている状態で、一部文字入力型アプリケーションの起動中にユーザにより文字入力時の操作が行われると、拡張表示モードを選択して、内蔵表示部１０に入力を受け付けるための画像としてタッチパネル式のキーボードを表示させるとともに、ＨＤＭＩ接続されたテレビジョン装置５には一部文字入力型アプリケーションの画像をそのまま表示させるように構成されている。たとえば、図１８に示すように、一部文字入力型アプリケーションとしてのインターネットブラウザを起動中に、ユーザが文字入力時の操作として検索窓１０３ａにカーソルを合わせると、ＣＰＵ１８ａは、テレビジョン装置５にインターネットブラウザを表示させたまま、内蔵表示部１０にタッチパネル式のキーボードを表示させるように構成されている。
【００７８】
また、携帯情報処理装置１のＣＰＵ１８ａは、ＨＤＭＩ接続部１５にＤＬＮＡに非対応のテレビジョン装置５が接続されている状態で、操作の全体として文字入力を行う全部文字入力型アプリケーションが起動されると、拡張表示モードを選択して、内蔵表示部１０に入力を受け付けるための画像としてタッチパネル式のキーボードを表示させるとともに、ＨＤＭＩ接続されたテレビジョン装置５には文字入力型のアプリケーションの画像を表示させるように構成されている。たとえば、図１９に示すように、ユーザが全部文字入力型アプリケーションとして電子メールのアプリケーションを起動すると、ＣＰＵ１８ａは、テレビジョン装置５に電子メールのアプリケーションの画面を表示させるとともに、内蔵表示部１０にタッチパネル式のキーボードを表示させるように構成されている。
【００７９】
次に、図２０を参照して、本参考例による携帯情報処理装置１の一部文字入力型アプリケーション起動中における文字入力時の処理について説明する。
【００８０】
一部文字入力型アプリケーション（たとえば、インターネットブラウザ）の起動中における文字入力時の操作（たとえば、検索窓１０３ａにカーソルを合わせる操作）に応答して、ＣＰＵ１８ａにより、図２０に示す文字入力時の処理が実行される。まず、ＣＰＵ１８ａは、ステップＳ５１において、ＨＤＭＩ接続部１５にＤＬＮＡに非対応のテレビジョン装置５が接続されているか否かを判断する。テレビジョン装置５が接続されている場合には、ＣＰＵ１８ａは、ステップＳ５２において、内蔵表示部１０とＨＤＭＩ接続されたテレビジョン装置５との現在の状態がミラー表示モードになっているか否かを判断する。ミラー表示モードの場合には、ＣＰＵ１８ａは、ステップＳ５３において、図１８に示すように、拡張表示モードに切り替えて、内蔵表示部１０にタッチパネル式のキーボードを表示させるとともに、ＨＤＭＩ接続されたテレビジョン装置５の表示は変更しない（たとえば、インターネットブラウザをそのまま表示させる）ように制御する。
【００８１】
そして、ＣＰＵ１８ａは、ステップＳ５４において、ユーザによる入力終了指示（たとえば、エンターキーや検索ボタンの押下による指示）を受け付けた後、ステップＳ５５において、元の状態であるミラー表示モードに切り替えて対応する画像（たとえば、インターネットブラウザの検索後の画像）を、内蔵表示部１０およびＨＤＭＩ接続されたテレビジョン装置５の両方に表示させる。
【００８２】
また、ＣＰＵ１８ａは、内蔵表示部１０とＨＤＭＩ接続されたテレビジョン装置５との現在の状態がミラー表示モードでない場合（拡張表示モードの場合）には、ステップＳ５６に進む。ここで、内蔵表示部１０とＨＤＭＩ接続されたテレビジョン装置５との現在の状態がミラー表示モードでない場合（拡張表示モードの場合）としては、たとえば、図１３に示すように、メディアプレーヤの起動中の状態で、内蔵表示部１０にはコンテンツリスト表示画面１０２が表示されているとともに、ＨＤＭＩ接続されたテレビジョン装置５にはコンテンツが再生表示されている場合がある。この場合、たとえば、メディアプレーヤのコンテンツの検索操作を行うなど、ユーザによる文字入力字の操作が行われる可能性がある。
【００８３】
ＣＰＵ１８ａは、現在の状態がミラー表示モードでない場合（拡張表示モードの場合）には、ステップＳ５６において、拡張表示モードを継続した状態で、図２１に示すように、内蔵表示部１０にタッチパネル式のキーボードを表示させるとともに、ＨＤＭＩ接続されたテレビジョン装置５の表示は変更しない（たとえば、メディアプレーヤのコンテンツをそのまま再生表示させる）ように制御する。
【００８４】
そして、ＣＰＵ１８ａは、ステップＳ５７において、ユーザによる入力終了指示（たとえば、エンターキーや検索ボタンの押下による指示）を受け付けた後、ステップＳ５８において、元の状態である拡張表示モードで、内蔵表示部１０に対応する画像（たとえば、検索結果）を表示させるとともに、ＨＤＭＩ接続されたテレビジョン装置５の表示は変更しない（たとえば、メディアプレーヤのコンテンツをそのまま再生表示させる）ように制御する。
【００８５】
文字入力時の操作が行われた場合に、ＨＤＭＩ接続部１５にテレビジョン装置５が接続されていなければ、ＣＰＵ１８ａは、ステップＳ５９において、内蔵表示部１０にタッチパネル式のキーボードを表示させる。そして、ＣＰＵ１８ａは、ステップＳ６０において、ユーザによる入力終了指示（たとえば、エンターキーの押下による指示）を受け付けた後、ステップＳ６１において、内蔵表示部１０に対応する画像（たとえば、検索結果）を表示させる。上記のように、本参考例による携帯情報処理装置１の文字入力時の処理が行われる。
【００８６】
次に、図２２を参照して、本参考例による携帯情報処理装置１の全部文字入力型アプリケーション起動時の処理について説明する。
【００８７】
全部文字入力型アプリケーション（たとえば、電子メールのアプリケーションや文章作成用のアプリケーション）の起動操作に応答して、ＣＰＵ１８ａにより、図２２に示す全部文字入力型アプリケーション起動時の処理が実行される。まず、ＣＰＵ１８ａは、ステップＳ７１において、ＨＤＭＩ接続部１５にＤＬＮＡに非対応のテレビジョン装置５が接続されているか否かを判断する。テレビジョン装置５が接続されている場合には、ＣＰＵ１８ａは、ステップＳ７２において、拡張表示モードを選択して、図１９に示すように、内蔵表示部１０にタッチパネル式のキーボードを表示させるとともに、ＨＤＭＩ接続されたテレビジョン装置５にアプリケーションの画像（たとえば、電子メールのアプリケーション画像）を表示させて、全部文字入力型アプリケーション起動時の処理を終了する。
【００８８】
一方、ＨＤＭＩ接続部１５にテレビジョン装置５が接続されていない場合には、ＣＰＵ１８ａは、ステップＳ７３において、内蔵表示部１０にタッチパネル式のキーボードおよびアプリケーションの画像の両方を表示させて、全部文字入力型アプリケーション起動時の処理を終了する。
【００８９】
なお、本参考例のその他の構成は、上記第１実施形態と同様である。
【００９０】
本参考例では、上記のように、ＨＤＭＩ接続部１５にテレビジョン装置５が接続され、かつ、文字入力を伴うアプリケーション（一部文字入力型アプリケーションおよび全部文字入力型アプリケーション）が起動していることに基づいて、内蔵表示部１０にデータを表示させるとともに、テレビジョン装置５に、内蔵表示部１０に表示されるデータと同じデータを表示させるミラー表示モードと、テレビジョン装置５にデータを表示させるとともに、内蔵表示部１０に、テレビジョン装置５に表示させるデータとは異なるデータを表示させる拡張表示モードとのうち拡張表示モードを選択するＣＰＵ１８ａを設けることによって、状況に応じて、拡張表示モードにするのが好ましい場合には、拡張表示モードが選択されるので、内蔵表示部１０およびテレビジョン装置５の表示態様（ミラー表示モードおよび拡張表示モード）を選択的に使い分けることができる。また、ＣＰＵ１８ａにより、少なくともＨＤＭＩ接続部１５にテレビジョン装置５が接続され、かつ、文字入力を伴うアプリケーション（一部文字入力型アプリケーションおよび全部文字入力型アプリケーション）が起動していることに基づいて、自動的に、ミラー表示モードと拡張表示モードとのうちの拡張表示モードが選択されるので、ユーザがモード選択操作を行うことなく、文字入力を伴うアプリケーション（一部文字入力型アプリケーションおよび全部文字入力型アプリケーション）が起動している場合には、拡張表示モードが選択され、それ以外のアプリケーションの場合はミラー表示モードが選択される。これにより、ユーザのモード選択操作による操作負担を削減することができるので、内蔵表示部１０とテレビジョン装置５との表示態様に関して、利便性を向上させることができる。
【００９１】
また、本参考例では、上記のように、ＣＰＵ１８ａを、少なくともＨＤＭＩ接続部１５にテレビジョン装置５が接続され、かつ、文字入力を伴うアプリケーション（一部文字入力型アプリケーションおよび全部文字入力型アプリケーション）が起動されていることに基づいて、拡張表示モードを選択するように構成することによって、文字入力を行う場合には、ＣＰＵ１８ａにより自動的に拡張表示モードを選択することができるので、テレビジョン装置５にアプリケーションのデータを表示しながら、手元の内蔵表示部１０に文字入力用のタッチパネル式のキーボードを表示することができ、その結果、容易に文字入力を行うことができる。
【００９２】
また、本参考例では、上記のように、ＣＰＵ１８ａを、全部文字入力型アプリケーション（たとえば、電子メールのアプリケーションや文章作成用のアプリケーション）の起動操作、または、一部文字入力型アプリケーション（たとえば、インターネットブラウザ）の起動中における文字入力時の操作に応答して、拡張表示モードを選択するように構成することによって、ユーザが全部文字入力型アプリケーションを起動し、または、一部文字入力型アプリケーションの起動中に文字入力時の操作を行うだけで、ＣＰＵ１８ａにより自動的に拡張表示モードが選択されるので、ユーザはミラー表示モードと拡張表示モードとを選択するために別途モード選択操作を行う必要がない。
【００９３】
また、本参考例では、上記のように、ＣＰＵ１８ａを、拡張表示モードのときに、テレビジョン装置５に文字入力を伴うアプリケーション（一部文字入力型アプリケーションおよび全部文字入力型アプリケーション）のデータを表示させるとともに、入力を受け付けるための画像として、内蔵表示部１０に文字入力のためのタッチパネル式のキーボードを表示させるように構成することによって、ユーザは、テレビジョン装置５に表示されたアプリケーションのデータを見ながら、手元の内蔵表示部１０に表示されたタッチパネル式のキーボードを用いて文字入力を行うことができるので、文字入力を容易に行うことができ、利便性をより向上させることができる。
【００９４】
なお、本参考例のその他の効果は、上記実施形態と同様である。
【００９５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９６】
たとえば、上記実施形態では、携帯情報処理装置１とＤＬＮＡ非対応のテレビジョン装置５とをＨＤＭＩ接続する例について示したが、本発明はこれに限らない。本発明では、テレビジョン装置５とネットワークを介さずに直接的に接続可能であるとともに、２つの機器間を、音声データ、映像データおよび制御信号を伝送可能なケーブルにより接続して機器間の連携動作を行うことが可能であれば、どのような接続方式にも適用可能である。また、携帯情報処理装置１とＤＬＮＡ非対応のテレビジョン装置５とをネットワークを介さずに無線によって接続してもよい。
【００９７】
また、上記実施形態では、ＤＬＮＡに対応する機器で構成されるホームネットワークシステムに本発明を適用した例を示したが、本発明はこれに限らない。本発明では、ネットワークに接続された対応機器間でメディアデータを共有可能なネットワーク規格であれば、異なるベンダ（機器メーカ）が提供するＤＬＮＡと実質的に均等な規格またはＤＬＮＡの機能に別の機能を付加した規格などを用いて構成されるネットワークにも適用可能である。
【００９８】
また、上記実施形態では、携帯情報処理装置１をホームネットワークを介してＤＬＮＡ機器と接続するとともに、ＨＤＭＩ接続によりＤＬＮＡ非対応の機器と接続した例を示したが、本発明はこれに限らない。本発明では、ＤＬＮＡによるホームネットワークは必須ではなく、携帯情報処理装置１がＨＤＭＩ接続またはＨＤＭＩ接続と同様の接続方式によりＤＬＮＡ非対応の機器にのみ接続されており、ＤＬＮＡ対応のホームネットワークは接続されていない場合にも、適用可能である。
【００９９】
また、上記実施形態では、ＤＬＮＡに非対応のテレビジョン装置５を携帯情報処理装置１にＨＤＭＩ接続する例について示したが、本発明はこれに限らない。本発明では、ＤＬＮＡに対応したテレビジョン装置と携帯情報処理装置とをネットワークを介さずに直接的にＨＤＭＩ接続してもよい。
【０１００】
また、上記実施形態では、本発明の所定のアプリケーションとしてのメディアプレーヤが起動していることに基づいて、第２モードとしての拡張表示モードを選択する例について示したが、本発明はこれに限らない。本発明では、メディアプレーヤ以外のアプリケーションが起動していることに基づいて第２モードを選択してもよい。
【０１０１】
【０１０２】
また、上記実施形態では、メディアプレーヤが起動されている状態で、外部表示装置としてのテレビジョン装置５を出力先とするコンテンツの再生操作が行われた場合、および、メディアプレーヤが起動されている状態で、かつ、コンテンツの再生動作が行われている状態で、テレビジョン装置５の接続が行われた場合の両方の場合に、第２モードとしての拡張表示モードを選択する例について示したが、本発明はこれに限らない。本発明では、メディアプレーヤが起動されている状態で、外部表示装置としてのテレビジョン装置５を出力先とするコンテンツの再生操作が行われた場合、または、メディアプレーヤが起動されている状態で、かつ、コンテンツの再生動作が行われている状態で、テレビジョン装置５の接続が行われた場合のいずれか一方の場合にだけ第２モードを選択してもよい。
【０１０３】
また、上記実施形態では、外部表示装置としてのテレビジョン装置５が接続され、かつ、メディアプレーヤが起動されている状態で、テレビジョン装置５を出力先とするコンテンツの再生操作が行われたこと、および、外部表示装置としてのテレビジョン装置５が接続され、メディアプレーヤが起動されている状態で、かつ、コンテンツの再生動作が行われている状態で、テレビジョン装置５の接続が行われたことに基づいて、第２モードとしての拡張表示モードを選択する例について示したが、本発明はこれに限らない。本発明では、テレビジョン装置５が接続され、かつ、メディアプレーヤが起動していることだけに基づいて第２モードを選択してもよい。
【０１０４】
【０１０５】
【０１０６】
また、上記実施形態では、記録媒体接続部としてのＳＤカード接続部１４および内蔵メモリとしてのフラッシュメモリ１８ｂの両方を設ける例について示したが、本発明はこれに限らない。本発明では、記録媒体接続部または内蔵メモリのいずれか一方だけを設けてもよい。
【０１０７】
また、上記実施形態では、携帯情報処理装置１の内蔵表示部１０をＬＣＤにより構成した例について示したが、本発明はこれに限らない。本発明では、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）、ＦＥＤ（Ｆｉｅｌｄ  Ｅｍｉｓｓｉｏｎ  Ｄｉｓｐｌａｙ）などにより構成してもよい。
【０１０８】
また、上記実施形態では、「外部表示装置」の一例として、テレビジョン装置を用いる例について示したが、本発明はこれに限らない。本発明では、単なるディスプレイ装置（モニタ）やプロジェクタなど、再生表示機能を有する機器であればよい。
【０１０９】
また、上記実施形態では、「可搬型記録媒体」の一例として、ＵＳＢメモリやハードディスクなどの外部記憶装置およびＳＤカード５０を用いたが、本発明はこれに限らない。本発明では、メモリスティックやＰＣカードなどの他のメモリカードを用いてもよい。
【０１１０】
また、上記実施形態では、説明の便宜上、制御部の処理動作をスタート時はイベント駆動的に記載し、スタート以降の処理動作はフロー駆動的に記載したフローチャートを用いて説明したが、本発明はこれに限らない。本発明では、制御部の処理動作を完全なイベント駆動型で行ってもよいし、完全なフロー駆動型で行ってもよいし、これらを並行処理的に行ってもよい。
【符号の説明】
【０１１１】
１  携帯情報処理装置
２  メディア保有機器（デジタルメディアサーバ）
５  テレビジョン装置（外部表示装置）
１０  内蔵表示部
１２  無線ＬＡＮ接続部（通信部）
１４  ＳＤカード接続部（記録媒体接続部）
１５  ＨＤＭＩ接続部（外部表示装置接続部）
１６  ＵＳＢ接続部（記録媒体接続部）
１８ａ  ＣＰＵ（制御部）
１８ｂ  フラッシュメモリ（内蔵メモリ）
５０  ＳＤカード（可搬型記録媒体）
【図１】
0005623111.tif 000002
【図２】
0005623111.tif 000003
【図３】
0005623111.tif 000004
【図４】
0005623111.tif 000005
【図５】
0005623111.tif 000006
【図６】
0005623111.tif 000007
【図７】
0005623111.tif 000008
【図８】
0005623111.tif 000009
【図９】
0005623111.tif 000010
【図１０】
0005623111.tif 000011
【図１１】
0005623111.tif 000012
【図１２】
0005623111.tif 000013
【図１３】
0005623111.tif 000014
【図１４】
0005623111.tif 000015
【図１５】
0005623111.tif 000016
【図１６】
0005623111.tif 000017
【図１７】
0005623111.tif 000018
【図１８】
0005623111.tif 000019
【図１９】
0005623111.tif 000020
【図２０】
0005623111.tif 000021
【図２１】
0005623111.tif 000022
【図２２】
0005623111.tif 000023